(57)【要約】【課題】清掃部位を選ばない、操作性に優れた携帯清掃具を提供する。【解決手段】その先端部に清掃材を係合させるための係合機構が形成され、且つ、その一部分１２がコイルスプリング１３により弾性変形可能に成形されている片手把持可能な軸筒１０と、リターンスプリング１６とを備える。係合機構は、リターンスプリング１６で付勢された状態で外方に突出し、リターンスプリング１６が消勢されたときに引き戻される突起体２０と、この突起体２０が外方に突出したときにギャップを形成し、突起体２０が引き戻されるときに当該ギャップを解消させる収容端部１１とを含み、突出した突起体２０が清掃材に包まれた状態で、当該清掃材の一部がギャップに侵入する構造を有するものである。【選択図】図１
2010075637.tif 000002
【特許請求の範囲】
【請求項１】
その先端部に清掃材を係合させるための係合機構が形成され、且つ、その一部分が弾性変形可能に成形されている片手把持可能な軸筒と、
前記軸筒の所定部位に設けられた弾性部材とを備えており、
前記係合機構は、
前記弾性部材で付勢された状態で軸筒内から外方に突出し、前記弾性部材が消勢されたときに前記軸筒内に引き戻される第１部材と、
この第１部材が外方に突出したときに当該第１部材との間にギャップを形成し、前記第１部材が引き戻されるときに当該ギャップを解消させる第２部材とを含み、
突出した前記第１部材が前記清掃材に包まれた状態で、当該清掃材の一部が前記ギャップに侵入する構造を有する、
携帯清掃具。
【請求項２】
前記第１部材は、外方を指向する外面部と引き戻し先を指向する背面部とを有し、前記第１部材の背面部と前記第２部材の少なくとも一方には、他方を臨む部分の壁が凹状に成形されており、前記第１部材が引き戻されたときに前記第２部材が前記背面部を収容することにより、前記ギャップを解消させるように構成されている、
請求項１記載の携帯清掃具。
【請求項３】
前記壁の一部又は全部が鋸歯条の壁に成形されており、その壁の先端で前記清掃材の一部を噛むように構成されている、
請求項２記載の携帯清掃具。
【請求項４】
前記軸筒は、その先端部から所定距離だけ後端部方向に離れた部位を起点とし、操作時に操作者が把持する部位付近を終点とする部分が弾性部材で形成されている、
請求項１、２又は３記載の携帯清掃具。
【請求項５】
前記軸筒は、その軸方向の長さが調整可能に構成されている、
請求項４記載の携帯清掃具。
【請求項６】
前記第１部材又は前記第２部材の所定部位に磁石が設けられている、
請求項１乃至５のいずれかの項記載の携帯清掃具。
【請求項７】
前記係合機構は、前記第１部材が外方に突出する際に２つ以上の前記ギャップを形成する、請求項１乃至６のいずれかの項記載の携帯清掃具。
【発明の詳細な説明】
【技術分野】
【０００１】
本発明は、パチンコ遊技機の釘間の盤面ないし曲面状の玉案内機構、パーソナルコンピュータのキーボードの隙間部分、障子、車のダッシュボード、その他家庭で人間の手が入りにくい狭い部位を手軽に掃除することができる携帯清掃具に関する。
【背景技術】
【０００２】
人間の手が入りにくい狭い部位を掃除するツールとして、その先端に金属製のツメを有する棒状の携帯清掃具が知られている。この携帯清掃具は、マジックハンドの原理を応用したもので、線状の軸筒の後端部に設けられたノック体を操作することにより先端のツメを開かせ、このツメで脱脂綿やスポンジのような清掃材を離脱自在に把持した状態でツメを閉じる。清掃材が汚れたときは、適宜、ツメを再度開いて交換する。これにより、操作者は、片手操作だけで、所望の部位を手軽に清掃することができる。
【０００３】
しかしながら、従来の携帯清掃具では、清掃材をツメで把持する構造なので、ツメの背面側が露出してしまう場合がある。そのため、よほど注意して扱わないと、清掃部位周辺を傷つけてしまうという問題があった。
【０００４】
この問題を改善する技術として、金属製ツメを使わない携帯清掃具が提案されている。例えば特許文献１に開示されたペン型ワイパーは、軸筒内に繊維束を収容させておき、ノック体を操作することにより、繊維束を軸筒の先端部から繰り出す。繰り出された繊維束の先端を汚れた箇所に押し当てつつワイピングする。金属製のツメが存在しないので、清掃部位周辺を傷つけることがない。繊維束として繊維相互間の熱融着の度合いを弱めにして成型したものを用いているので、清掃の際に繊維束の先端がばらけるため、狭い部位にも繊維が入り込み、狭い部位における汚れをきれいに除去することができる。
【特許文献１】特開２００１−１１２６８４号公報
【発明の開示】
【発明が解決しようとする課題】
【０００５】
しかしながら、従来のいずれの携帯清掃具も、軸筒が直線棒状なので、清掃できる部位には限界があった。例えば、パチンコ遊技機の場合、上皿と下皿との間を繋ぐ曲がりくねった管状の部品の内部、入賞口の奥、トンネル状の打球案内レール、その他隠れた部位の清掃は、直線棒状の軸筒を有する携帯清掃具では、困難ないし不可能であった。
【０００６】
本発明は、かかる問題を解消し、清掃部位を選ばない、操作性に優れた携帯清掃具を提供することを目的とする。
【課題を解決するための手段】
【０００７】
本発明が提供する携帯清掃具は、その先端部に清掃材を係合させるための係合機構が形成され、且つ、その一部分が弾性変形可能に成形されている片手把持可能な軸筒と、前記軸筒の所定部位に設けられた弾性部材とを備えている。前記係合機構は、前記弾性部材で付勢された状態で軸筒内から外方に突出し、前記弾性部材が消勢されたときに前記軸筒内に引き戻される第１部材と、この第１部材が外方に突出したときに当該第１部材との間にギャップを形成し、前記第１部材が引き戻されるときに当該ギャップを解消させる第２部材とを含み、突出した前記第１部材が前記清掃材に包まれた状態で当該清掃材の一部が前記ギャップに侵入する構造を有している。
第１部材は清掃材に包まれた状態でギャップに侵入するので、軸筒内に引き戻される第１部材とギャップを解消する第２部材との協働により清掃材が係合する。操作者は、筆記具を持つ感覚で、所望の部位を清掃することができる。軸筒の一部分が弾性変形可能に成型されているので、軸筒が直線棒状のものでは清掃が困難な隠れた部位であっても容易に清掃することができる。
【０００８】
ある実施の態様では、前記第１部材は、外方を指向する外面部と引き戻し先を指向する背面部とを有し、前記第１部材の背面部と前記第２部材の少なくとも一方には、他方を臨む部分の壁が凹状に成形されており、前記第１部材が引き戻されたときに前記第２部材が前記背面部を収容することにより、前記ギャップを解消させるように構成されている。この壁の一部又は全部を鋸歯条の壁に成形し、その壁の先端で前記清掃材の一部を噛むように構成しても良い。このような態様では、ギャップが解消されたときに、清掃材が確実に係合機構に係合される。
【０００９】
ある実施の態様では、前記軸筒は、その先端部から所定距離だけ後端部方向に離れた部位を起点とし、操作時に操作者が把持する部位付近を終点とする部分が弾性部材で形成されている。このような態様では、係合機構の部分は弾性変形されないので、清掃材で清掃するときの位置決めが容易となる。
【００１０】
なお、前記係合機構は、前記第１部材が外方に突出する際に２つ以上の前記ギャップを形成するようにしても良い。また、前記軸筒を、その軸方向の長さが調整可能に構成したり、前記第１部材又は前記第２部材の所定部位に磁石を設けるようにしても良い。
【発明の効果】
【００１１】
本発明の携帯清掃具は、清掃材が第２部材を包み込んだ状態で軸筒の先端部に係合するので、仮に第２部材が金属のように固い素材で製造される場合であっても、被清掃部位周辺を傷つけることがない。また、軸筒の一部が弾性変形可能に成形されているので、その先端部に係合した清掃材を曲がりくねった管状の部品の内部、トンネル状の部位その他隠れた部位に侵入させることが容易となり、清掃部位を問わない清掃が可能になる。
【発明を実施するための最良の形態】
【００１２】
以下、図面を参照して、本発明の実施の形態例を説明する。
図１は、本発明の実施の形態例となる携帯清掃具の内部構造説明図である。
本実施形態の携帯清掃具１は、筆記具とほぼ同じサイズの片手操作可能な軸筒１０を有している。軸筒１０の先端部（図下部）には、係合機構が形成されている。係合機構は、先端部から突出可能な突起体２０と、この突起体２０を収容する収容端部１１とで構成される。この係合機構については後述する。
【００１３】
軸筒１０の収容端部１１から後端部（図上部）方向に延びる一部分、つまり、前筒部は、軟質部材からなるカバー１２と、このカバー１２に収容される筒状のコイルスプリング１３とにより弾性変形可能に成形されている。他方、軸筒１０の後端部側の残部、つまり後筒部は、硬質プラスチックで構成されている。前筒部と後筒部とが接合される部分には、操作時の指の滑りを防止するためのラバー１５が被覆されている。
【００１４】
コイルスプリング１３の中空部には、可撓性ワイヤ１４が摺動自在に貫装されている。この可撓性ワイヤ１４は、その一端が突起体２０の背面部に接合され、その他端は、軸筒１０の後端部方向に延び、コイル状のリターンスプリング１６を貫通して支持体１８ａに接合される。支持体１８ａは、ロック棒１８ｂと一体化され、軸筒１０の後端開口部１７から露出するノック体３０に接合されている。
【００１５】
なお、可撓性ワイヤ１４は、それを軸筒１０の先端部方向に押したときはリターンスプリング１６で付勢された状態で突起体２０を外方に押し出し、リターンスプリング１６が消勢されたときは、引き戻されて元に戻る構造であれば良いので、支持体１８ａ及びロック棒１８ｂの形状・構造は任意であって良い。また、可撓性ワイヤ１４と突起体２０及び支持体１８ａの接合は、組立の容易性を考慮して、スクリューネジよるネジ止めによるのが好ましいが、接合の形態は任意である。
軸筒１０には、クリップ４０も設けられている。
【００１６】
携帯清掃具１の全体の長さＡは１８０〜２００［mm］である。弾性変形可能な前筒部の長さＢは約７０［mm］である。曲部中心点までの長さＣは約４０［mm］とする。直径Ｄは約８［mm］以内である。この寸法は、殆どの種類のパチンコ遊技機の殆どの部位の清掃に適した寸法である。
【００１７】
携帯清掃具１は、キャップ３０が押されることにより、リターンスプリング１６を付勢した状態で、可撓性ワイヤ１４を軸筒１０の先端部方向に押し出し、突起体２０を先端部から外方に突出させる。この状態を図２に示す。このとき、ロック棒１８ｂの端部が軸筒１０の所定部位に形成されたロック孔１９に係合し、突起体２０が突出した状態を保持する。ロック孔１９から突出するロック棒の端部を押すことにより、リターンスプリング１６が消勢され、突起体２０が、収容端部１１に引き戻される。
【００１８】
［係合機構］
次に、携帯清掃具１の係合機構について詳細に説明する。係合機構は、清掃材を先端部に離脱自在に係合させるためのもので、突起体２０と収容端部１１とにより構成される。
図３は、突起体２０の外観斜視図である。突起体２０は、外方を指向する外面部２１と軸筒１０の収容端部１１を臨む背面部２２とを有し、背面部２２の中央部分には、収容端部１１の孔部１１２を通過した可撓性ワイヤ１４が接合されている。背面部２２は、外面部２１を基点として収容端部１１に向かうにつれてその径が小さくなり、且つ、その先端から中央部分に近づくに窪む凹状に成型されている。背面部２２の先端形状は波状に成形されているが、この形状は任意であって良い。
突起体２０（収容端部１１）は、外方に突出したときに収容端部１１（突起体２０の背面部２２）との間にギャップを形成し、引き戻されるときに当該ギャップを解消させる。
【００１９】
収容端部１１は、図４（ａ）の正面図及び同（ｂ）の要部外観図に示されるように、開口縁から中心方向に向かう収容壁１１０を有する。収容壁１１０は、開口縁で最も径が大きく、中心の孔部１１２に近づくにつれて径が小さくなるテーパ状に成形されている。この収容壁１１０の形状は、後述する突起体２０の形状に合わせたものであるため、突起体２０の形状が変われば、収容壁１１０の形状も変わる。
孔部１１２は、可撓性ワイヤ１４を通すためのものである。孔部１１２の周囲の底部１１１は、平面状に成形されており、この底部１１１で、軸筒１０の内部方向に引き戻される突起体２０を支持する。
【００２０】
［携帯清掃具の使用方法］
次に、携帯清掃具１の使用方法を説明する。
通常時、携帯清掃具１は、図１に示されるように、係合機構の突起体２０が収容端部１１に収容されている。操作者が、片手で軸筒１０を把持した状態でノック体３０を押すと、突起体２０が先端部から外方に突出して図２に示す状態となり、突起体２０と収容端部１１との間にギャップが形成される。
【００２１】
この突起体２０を、例えば綿花塊から成る清掃材の中心付近に挿入すると、突起体が清掃材に包まれた状態で、清掃材の一部がギャップに侵入する。この状態で、図２に示すロック孔１９の端部を押すと、ノック体３０は元の位置に戻り、上記のギャップが解消され、清掃材が、突起体２０の背面部２２と収容壁１１０とに挟まれて係合する。図５は、このようにして、清掃材１００が、携帯清掃具１の先端部に係合された状態を示している。
【００２２】
清掃材１００が汚れたときは、再びノック体３０を押し、ギャップを形成することにより清掃材を離脱させる。そして、新たな清掃材１００の中心付近に突起体２０を挿入させ、ロック孔１９の端部を押すことにより、新たな清掃材１００が、携帯清掃具１の先端部に係合する。
【００２３】
携帯清掃具１の前筒部、つまり、その内部に筒状のコイルスプリング１３が収容されたカバー１２の部分は容易に変位する。図６は、清掃材１００を係合させた状態で、例えば軸筒１０の軸心に対してほぼ９０度の角度で前筒部を曲げた様子を示している。コイルスプリング１３には、元に戻ろうとする反撥力が働くので、操作者がさほど力を入れなくとも、この反撥力によって塵埃を容易に拭き取ることができる。
【００２４】
前筒部は、軸心を中心として全方向に曲げることができるため、操作者が最も操作しやすい姿勢で、清掃箇所を選ばない清掃が可能となる。例えば、図７に示されるように、携帯清掃具１の先端部の清掃材をパチンコ遊技機の盤面に多数設けられた釘の間、パチンコ遊技機の上皿と下皿との間を繋ぐ曲がりくねった管状の部品の内部、入賞口等に挿入したり、打球案内レールに沿って変位させるだけで、操作者が操作しやすい姿勢で、コイルスプリング１３の反発力をも利用して、塵埃を容易に拭き取ることができる。これらの部位の清掃は、直線棒状の軸筒を有する携帯清掃具では、困難ないし不可能であったものである。このとき、カバー１２の部分（コイルスプリング１３）は直線状のままで清掃しても良く、適宜、カバー１２の部分を曲げて清掃しても良い。
【００２５】
なお、パチンコ遊技機のみならず、オートバイのエンジンのフィン、車のダッシュボード、その他家庭で人間の手が入りにくい狭い部位も、同様にして清掃することができる。そのほか、パーソナルコンピュータのキーボード、障子等の建具等も手軽に清掃することができる。
【００２６】
［変形例］
以上、一つの実施の形態例を説明したが、本発明の携帯清掃具１は、上述した例に限らず、種々の設計変更が可能である。
（１）本実施形態では、前筒部を軟質部材からなるカバー１２と、このカバー１２に収容される筒状のコイルスプリング１３とで構成した場合の例を示したが、図８に示すように、防錆加工したコイルスプリング１３０を直接収容端部１１に接合することで前筒部を構成しても良い。このようにすれば、カバー１２を不要とする分、携帯清掃具１の製造コストを低く抑えることができる。
【００２７】
（２）さらに、収容端部１１から直ちにコイルスプリング１３０を取り付けるのではなく、図９に示すように、所定の長さのグリップ５０を収容端部１１とコイルスプリング１３０との間に介在させても良い。このグリップ５０は、操作者がコイルスプリング１３０による影響を回避しようとする際に、当該グリップ５０を把持して操作するとき等に使用される。このように、グリップ５０を設けることにより、精密な部位に対する清掃材１００の位置決めが容易になる。また、図１０に示すように、パチンコ遊技機の盤面３００に多数設けられた釘３０１の間に付着した塵埃３０２を除去する場合は、グリップ５０を把持した方が、清掃材１００を操作しやすくなり、操作性を高めることができる。
なお、グリップ５０を介在させる場合、先端からコイルスプリング１３０の曲部中心点までの長さは、７０[mm]前後であることが望ましい。これは、例えばパチンコ遊技機の場合、上皿と下皿との間を繋ぐ曲がりくねった管状の部品の内部の長さが、機種に関わらず、ほぼ７０[mm]前後であることによる。
【００２８】
（３）本実施形態では、ギャップを１つだけ形成する場合の例を説明したが、２つ以上のギャップを形成するようにしても良い。図１１は、係合機構をいわゆる２段ロック構造にした場合の例を示す。図１１（ａ）は、ノック体３０を押したときの係合機構の状態説明図、同（ｂ）はノック体３０が元に戻ったときの係合機構の状態説明図、同（ｃ）は清掃材が係合したときの説明図である。
【００２９】
この係合機構は、突起体２００の外面部を円盤状にし、その背面部を図示のように外面部から離れるにつれて径が小さくなるロート状にするとともに、突起体２００とほぼ同じ形状で、その中央部に、可撓性ワイヤ１４を通過させる孔部を形成した軸受体１５０をグリップ５０の周縁に、突起体２００と逆の向きで取り付ける（グリップ５０を介在させない場合は、カバー１２の先端又はコイルスプリング１３０に取り付ける）。突起体２００に接合された可撓性ワイヤを、浮動係合体１６０を経由して軸受体１５０から軸筒１０の内部に収容させることにより、上記の機構が完成する。
【００３０】
使用時は、ノック体３０を押すことにより、図１１（ａ）に示すように、浮動係合体１６０の両端に２つのギャップが形成され、他方、ノック体２０をロック孔１９から露出する端部を押すことにより、図１１（ｂ）のように、２つのギャップが解消される。図１０（ａ）の状態で綿花塊である清掃材を包み、ロック孔１９から露出する端部を押すと、コイルスプリング１３０の消勢力により２つのギャップが解消され、その際に、図１１（ｃ）に示すように清掃材が係合される。
このように２段ロック構造の係合機構では、使用時に清掃材がより外れにくいばかりでなく、係合する清掃材を、軸筒に沿って大きくすることができる。
【００３１】
（４）本実施形態では、突起体２０を図３のような形状に成形した場合の例を説明したが、突起体２０の形状は、例えば図１２（ａ）〜（ｃ）のように変形することができる。これらの図において、図４と同じ部分については、同一符号を付してある。
図１２（ａ）は、テーパ状ではなく同じ径で収容端部１１の方向に延びる背面部２２ａにしたものである。同（ｂ）はその先端形状を鋸歯状壁に成形した背面部２２ｂにした例を示す。この鋸歯条壁の先端で清掃材の一部を噛むように構成される。同（ｃ）は、背面部２２はそのままで、外方に膨らんだ形状の外面部２５にした例である。
使用する清掃材の材質、サイズ等に応じて、最も係合し易い形状のものを選択することができる。
【００３２】
（５）本実施形態では、収容端部１１を図４のような構造にした場合の例を説明したが、収容端部１１は、図１３（ａ）のように、切り込みを設けた多数の壁１２１の集合で構成しても良い。これらの壁１２１は、突起体２０が外方に突出したときは開いて清掃材をより掴みやすくし、突起体２０が引き戻されたときは、閉じる方向に動くことにより、清掃材を複数箇所で噛ませるようにする。これにより、清掃材がより外れにくくなり、携帯清掃具１の操作性を高めることができる。
収容端部１１は、また、図１３（ｂ）のように、その先端が鋸歯状壁に成形しても良い。このようにすれば、鋸歯状壁の先端で清掃材の一部を噛むので、清掃材が外れにくくなる。図１２（ｂ）に示したように背面部２２ｂが鋸歯状壁の突起体を併用することにより、この効果は顕著なものとなる。
【００３３】
（６）本実施形態では、筒軸１０の後筒部は固定サイズであることを前提として説明したが、その一部を二重筒にすることにより、伸縮自在とすることもできる。
（７）また、突起体２０，２００の略中央部、あるいは、収容端部１１の外表面の一部に磁石を設けるようにしても良い。このようにすれば、磁性体が混入した物体を係合機構に係合させることが容易になる。また、鉄等からなるビスやネジをこの磁石に付着させることができ、使用用途を拡げることができる。
【産業上の利用可能性】
【００３４】
本発明は、パチンコ遊技機、パーソナルコンピュータの内部の隙間やキーボード、障子等の建具、車のダッシュボード、オートバイのエンジンのフィンその他、人間の手が入りにくい狭い部位の清掃具として、広く利用することができる。
【図面の簡単な説明】
【００３５】
【図１】本発明の実施の一形態例を示す携帯清掃具の構造説明図（通常時）。
【図２】本実施形態の携帯清掃具の構造説明図（使用時）。
【図３】本実施形態における突起体の構造を示す要部外観斜視図。
【図４】（ａ）は本実施形態における収容端部の正面図、（ｂ）は要部外観斜視図。
【図５】本実施形態に係る携帯清掃具で清掃材を係合させた状態を示す図。
【図６】本実施形態に係る携帯清掃具の使用状態の説明図。
【図７】本実施形態に係る携帯清掃具の使用状態の説明図。
【図８】軸筒の変形例を示した部分構造図。
【図９】軸筒の変形例を示した部分構造図。
【図１０】図９の構造の携帯清掃具の使用状態の説明図。
【図１１】係合機構の変形例を示す部分構造図であり、（ａ）は突起体を突出させた状態、（ｂ）は引き戻した状態、（ｃ）は清掃材が係合したときの説明図。
【図１２】（ａ）〜（ｃ）は突起体の変形例を示す図。
【図１３】（ａ）〜（ｂ）は収容端部の変形例を示す図。
【符号の説明】
【００３６】
１  携帯清掃具    
１０  軸筒      
１１  収容端部
１１０  収容壁
１１１  底部
１１２  孔部
１２  カバー
１３，１３０  コイルスプリング
１４  可撓性ワイヤ
１５  ラバー
１６  リターンスプリング
１７  後端開口部
１８ａ  支持体
１８ｂ  ロック棒
１９  ロック孔
２０  突起体      
２１  外面部
２２  背面部
３０  ノック体
４０  クリップ
５０  グリップ
１００  清掃材
１５０  軸受体
１６０  浮動係合体
２００  突起体
【図１】
2010075637.tif 000003
【図２】
2010075637.tif 000004
【図３】
2010075637.tif 000005
【図４】
2010075637.tif 000006
【図５】
2010075637.tif 000007
【図６】
2010075637.tif 000008
【図７】
2010075637.tif 000009
【図８】
2010075637.tif 000010
【図９】
2010075637.tif 000011
【図１０】
2010075637.tif 000012
【図１１】
2010075637.tif 000013
【図１２】
2010075637.tif 000014
【図１３】
2010075637.tif 000015
【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
その先端部に清掃材を係合させるための係合機構が形成され、且つ、その一部分が弾性変形可能に成形されている片手把持可能な軸筒と、
前記軸筒の所定部位に設けられた弾性部材とを備えており、
前記係合機構は、
前記弾性部材で付勢された状態で軸筒内から外方に突出し、前記弾性部材が消勢されたときに前記軸筒内に引き戻される第１部材と、
この第１部材が外方に突出したときに当該第１部材との間にギャップを形成し、前記第１部材が引き戻されるときに当該ギャップを解消させる第２部材とを含み、
突出した前記第１部材が前記清掃材に包まれた状態で、当該清掃材の一部が前記ギャップに侵入し、前記第１部材が引き戻されたときに当該清掃材が当該第１部材と前記第２部材との間に挟まれて係合する構造を有する、
携帯清掃材係止具。
【請求項２】
前記第１部材は、外方を指向する外面部と引き戻し先を指向する背面部とを有し、前記第１部材の背面部と前記第２部材の少なくとも一方には、他方を臨む部分の壁が凹状に成形されており、前記第１部材が引き戻されたときに前記第２部材が前記背面部を収容することにより、前記ギャップを解消させるように構成されている、
請求項１記載の携帯清掃材係止具。
【請求項３】
前記壁の一部又は全部が鋸歯条の壁に成形されており、その壁の先端で前記清掃材の一部を噛むように構成されている、
請求項２記載の携帯清掃材係止具。
【請求項４】
前記軸筒は、その先端部から所定距離だけ後端部方向に離れた部位が軟質部材、その残部が硬質部材で形成されており、前記軟質部材は筒状のコイルスプリングが収容されている、請求項１、２又は３記載の携帯清掃材係止具。
【請求項５】
前記軸筒は、その軸方向の長さが調整可能に構成されている、
請求項４記載の携帯清掃材係止具。
【請求項６】
前記第１部材又は前記第２部材の所定部位に磁石が設けられている、
請求項１乃至５のいずれかの項記載の携帯清掃材係止具。
【請求項７】
前記係合機構は、前記第１部材が外方に突出する際に２つ以上の前記ギャップを形成する、請求項１乃至６のいずれかの項記載の携帯清掃材係止具。
【手続補正２】
【補正対象書類名】明細書
【補正対象項目名】全文
【補正方法】変更
【補正の内容】
【発明の詳細な説明】
【技術分野】
【０００１】
本発明は、パチンコ遊技機の釘間の盤面ないし曲面状の玉案内機構、パーソナルコンピュータのキーボードの隙間部分、障子、車のダッシュボード、その他家庭で人間の手が入りにくい狭い部位を手軽に清掃することができる携帯清掃材係止具に関する。
【背景技術】
【０００２】
人間の手が入りにくい狭い部位を掃除するツールとして、その先端に金属製のツメを有する棒状の携帯清掃具が知られている。この携帯清掃具は、マジックハンドの原理を応用したもので、線状の軸筒の後端部に設けられたノック体を操作することにより先端のツメを開かせ、このツメで脱脂綿やスポンジのような清掃材を離脱自在に把持した状態でツメを閉じる。清掃材が汚れたときは、適宜、ツメを再度開いて交換する。これにより、操作者は、片手操作だけで、所望の部位を手軽に清掃することができる。
【０００３】
しかしながら、従来の携帯清掃具では、清掃材をツメで把持する構造なので、ツメの背面側が露出してしまう場合がある。そのため、よほど注意して扱わないと、清掃部位周辺を傷つけてしまうという問題があった。
【０００４】
この問題を改善する技術として、金属製ツメを使わない携帯清掃具が提案されている。例えば特許文献１に開示されたペン型ワイパーは、軸筒内に繊維束を収容させておき、ノック体を操作することにより、繊維束を軸筒の先端部から繰り出す。繰り出された繊維束の先端を汚れた箇所に押し当てつつワイピングする。金属製のツメが存在しないので、清掃部位周辺を傷つけることがない。繊維束として繊維相互間の熱融着の度合いを弱めにして成型したものを用いているので、清掃の際に繊維束の先端がばらけるため、狭い部位にも繊維が入り込み、狭い部位における汚れをきれいに除去することができる。
【特許文献１】特開２００１−１１２６８４号公報
【発明の開示】
【発明が解決しようとする課題】
【０００５】
しかしながら、従来のいずれの携帯清掃具も、軸筒が直線棒状なので、清掃できる部位には限界があった。例えば、パチンコ遊技機の場合、上皿と下皿との間を繋ぐ曲がりくねった管状の部品の内部、入賞口の奥、トンネル状の打球案内レール、その他隠れた部位の清掃は、直線棒状の軸筒を有する携帯清掃具では、困難ないし不可能であった。
【０００６】
本発明は、かかる問題を解消し、清掃部位を選ばない、操作性に優れた携帯清掃材係止具を提供することを目的とする。
【課題を解決するための手段】
【０００７】
本発明が提供する携帯清掃材係止具は、その先端部に清掃材を係合させるための係合機構が形成され、且つ、その一部分が弾性変形可能に成形されている片手把持可能な軸筒と、前記軸筒の所定部位に設けられた弾性部材とを備えている。前記係合機構は、前記弾性部材で付勢された状態で軸筒内から外方に突出し、前記弾性部材が消勢されたときに前記軸筒内に引き戻される第１部材と、この第１部材が外方に突出したときに当該第１部材との間にギャップを形成し、前記第１部材が引き戻されるときに当該ギャップを解消させる第２部材とを含み、突出した前記第１部材が前記清掃材に包まれた状態で、当該清掃材の一部が前記ギャップに侵入し、前記第１部材が引き戻されたときに当該清掃材が当該第１部材と前記第２部材との間に挟まれて係合する構造を有している。
第１部材は清掃材に包まれた状態でギャップに侵入するので、軸筒内に引き戻される第１部材とギャップを解消する第２部材との協働により清掃材が係合する。操作者は、筆記具を持つ感覚で、所望の部位を清掃することができる。軸筒の一部分が弾性変形可能に成型されているので、軸筒が直線棒状のものでは清掃が困難な隠れた部位であっても容易に清掃することができる。
【０００８】
ある実施の態様では、前記第１部材は、外方を指向する外面部と引き戻し先を指向する背面部とを有し、前記第１部材の背面部と前記第２部材の少なくとも一方には、他方を臨む部分の壁が凹状に成形されており、前記第１部材が引き戻されたときに前記第２部材が前記背面部を収容することにより、前記ギャップを解消させるように構成されている。この壁の一部又は全部を鋸歯条の壁に成形し、その壁の先端で前記清掃材の一部を噛むように構成しても良い。このような態様では、ギャップが解消されたときに、清掃材が確実に係合機構に係合される。
【０００９】
ある実施の態様では、前記軸筒は、その先端部から所定距離だけ後端部方向に離れた部位が軟質部材、その残部が硬質部材で形成されており、前記軟質部材は筒状のコイルスプリングが収容されている。このような態様では、係合機構の部分は弾性変形されないので、清掃材で清掃するときの位置決めが容易となる。
【００１０】
なお、前記係合機構は、前記第１部材が外方に突出する際に２つ以上の前記ギャップを形成するようにしても良い。また、前記軸筒を、その軸方向の長さが調整可能に構成したり、前記第１部材又は前記第２部材の所定部位に磁石を設けるようにしても良い。
【発明の効果】
【００１１】
本発明の携帯清掃材係止具は、清掃材が第２部材を包み込んだ状態で軸筒の先端部に係合するので、仮に第２部材が金属のように固い素材で製造される場合であっても、被清掃部位周辺を傷つけることがない。また、軸筒の一部が弾性変形可能に成形されているので、その先端部に係合した清掃材を曲がりくねった管状の部品の内部、トンネル状の部位その他隠れた部位に侵入させることが容易となり、清掃部位を問わない清掃が可能になる。
【発明を実施するための最良の形態】
【００１２】
以下、図面を参照して、本発明の実施の形態例を説明する。
図１は、本発明の実施の形態例となる携帯清掃材係止具の内部構造説明図である。
本実施形態の携帯清掃材係止具１は、筆記具とほぼ同じサイズの片手操作可能な軸筒１０を有している。軸筒１０の先端部（図下部）には、係合機構が形成されている。係合機構は、先端部から突出可能な突起体２０と、この突起体２０を収容する収容端部１１とで構成される。この係合機構については後述する。
【００１３】
軸筒１０の収容端部１１から後端部（図上部）方向に延びる一部分、つまり、前筒部は、軟質部材からなるカバー１２と、このカバー１２に収容される筒状のコイルスプリング１３とにより弾性変形可能に成形されている。他方、軸筒１０の後端部側の残部、つまり後筒部は、硬質プラスチックで構成されている。前筒部と後筒部とが接合される部分には、操作時の指の滑りを防止するためのラバー１５が被覆されている。
【００１４】
コイルスプリング１３の中空部には、可撓性ワイヤ１４が摺動自在に貫装されている。この可撓性ワイヤ１４は、その一端が突起体２０の背面部に接合され、その他端は、軸筒１０の後端部方向に延び、コイル状のリターンスプリング１６を貫通して支持体１８ａに接合される。支持体１８ａは、ロック棒１８ｂと一体化され、軸筒１０の後端開口部１７から露出するノック体３０に接合されている。
【００１５】
なお、可撓性ワイヤ１４は、それを軸筒１０の先端部方向に押したときはリターンスプリング１６で付勢された状態で突起体２０を外方に押し出し、リターンスプリング１６が消勢されたときは、引き戻されて元に戻る構造であれば良いので、支持体１８ａ及びロック棒１８ｂの形状・構造は任意であって良い。また、可撓性ワイヤ１４と突起体２０及び支持体１８ａの接合は、組立の容易性を考慮して、スクリューネジよるネジ止めによるのが好ましいが、接合の形態は任意である。
軸筒１０には、クリップ４０も設けられている。
【００１６】
携帯清掃材係止具１の全体の長さＡは１８０〜２００［mm］である。弾性変形可能な前筒部の長さＢは約７０［mm］である。曲部中心点までの長さＣは約４０［mm］とする。直径Ｄは約８［mm］以内である。この寸法は、殆どの種類のパチンコ遊技機の殆どの部位の清掃に適した寸法である。
【００１７】
携帯清掃材係止具１は、キャップ３０が押されることにより、リターンスプリング１６を付勢した状態で、可撓性ワイヤ１４を軸筒１０の先端部方向に押し出し、突起体２０を先端部から外方に突出させる。この状態を図２に示す。このとき、ロック棒１８ｂの端部が軸筒１０の所定部位に形成されたロック孔１９に係合し、突起体２０が突出した状態を保持する。ロック孔１９から突出するロック棒の端部を押すことにより、リターンスプリング１６が消勢され、突起体２０が、収容端部１１に引き戻される。
【００１８】
［係合機構］
次に、携帯清掃材係止具１の係合機構について詳細に説明する。係合機構は、清掃材を先端部に離脱自在に係合させるためのもので、突起体２０と収容端部１１とにより構成される。
図３は、突起体２０の外観斜視図である。突起体２０は、外方を指向する外面部２１と軸筒１０の収容端部１１を臨む背面部２２とを有し、背面部２２の中央部分には、収容端部１１の孔部１１２を通過した可撓性ワイヤ１４が接合されている。背面部２２は、外面部２１を基点として収容端部１１に向かうにつれてその径が小さくなり、且つ、その先端から中央部分に近づくに窪む凹状に成型されている。背面部２２の先端形状は波状に成形されているが、この形状は任意であって良い。
突起体２０（収容端部１１）は、外方に突出したときに収容端部１１（突起体２０の背面部２２）との間にギャップを形成し、引き戻されるときに当該ギャップを解消させる。
【００１９】
収容端部１１は、図４（ａ）の正面図及び同（ｂ）の要部外観図に示されるように、開口縁から中心方向に向かう収容壁１１０を有する。収容壁１１０は、開口縁で最も径が大きく、中心の孔部１１２に近づくにつれて径が小さくなるテーパ状に成形されている。この収容壁１１０の形状は、後述する突起体２０の形状に合わせたものであるため、突起体２０の形状が変われば、収容壁１１０の形状も変わる。
孔部１１２は、可撓性ワイヤ１４を通すためのものである。孔部１１２の周囲の底部１１１は、平面状に成形されており、この底部１１１で、軸筒１０の内部方向に引き戻される突起体２０を支持する。
【００２０】
［携帯清掃具の使用方法］
次に、携帯清掃材係止具１の使用方法を説明する。
通常時、携帯清掃材係止具１は、図１に示されるように、係合機構の突起体２０が収容端部１１に収容されている。操作者が、片手で軸筒１０を把持した状態でノック体３０を押すと、突起体２０が先端部から外方に突出して図２に示す状態となり、突起体２０と収容端部１１との間にギャップが形成される。
【００２１】
この突起体２０を、例えば綿花塊から成る清掃材の中心付近に挿入すると、突起体が清掃材に包まれた状態で、清掃材の一部がギャップに侵入する。この状態で、図２に示すロック孔１９の端部を押すと、ノック体３０は元の位置に戻り、上記のギャップが解消され、清掃材が、突起体２０の背面部２２と収容壁１１０とに挟まれて係合する。図５は、このようにして、清掃材１００が、携帯清掃材係止具１の先端部に係合された状態を示している。
【００２２】
清掃材１００が汚れたときは、再びノック体３０を押し、ギャップを形成することにより清掃材を離脱させる。そして、新たな清掃材１００の中心付近に突起体２０を挿入させ、ロック孔１９の端部を押すことにより、新たな清掃材１００が、携帯清掃材係止具１の先端部に係合する。
【００２３】
携帯清掃材係止具１の前筒部、つまり、その内部に筒状のコイルスプリング１３が収容されたカバー１２の部分は容易に変位する。図６は、清掃材１００を係合させた状態で、例えば軸筒１０の軸心に対してほぼ９０度の角度で前筒部を曲げた様子を示している。コイルスプリング１３には、元に戻ろうとする反撥力が働くので、操作者がさほど力を入れなくとも、この反撥力によって塵埃を容易に拭き取ることができる。
【００２４】
前筒部は、軸心を中心として全方向に曲げることができるため、操作者が最も操作しやすい姿勢で、清掃箇所を選ばない清掃が可能となる。例えば、図７に示されるように、携帯清掃材係止具１の先端部の清掃材をパチンコ遊技機の盤面に多数設けられた釘の間、パチンコ遊技機の上皿と下皿との間を繋ぐ曲がりくねった管状の部品の内部、入賞口等に挿入したり、打球案内レールに沿って変位させるだけで、操作者が操作しやすい姿勢で、コイルスプリング１３の反発力をも利用して、塵埃を容易に拭き取ることができる。これらの部位の清掃は、直線棒状の軸筒を有する携帯清掃具では、困難ないし不可能であったものである。このとき、カバー１２の部分（コイルスプリング１３）は直線状のままで清掃しても良く、適宜、カバー１２の部分を曲げて清掃しても良い。
【００２５】
なお、パチンコ遊技機のみならず、オートバイのエンジンのフィン、車のダッシュボード、その他家庭で人間の手が入りにくい狭い部位も、同様にして清掃することができる。そのほか、パーソナルコンピュータのキーボード、障子等の建具等も手軽に清掃することができる。
【００２６】
［変形例］
以上、一つの実施の形態例を説明したが、本発明の携帯清掃材係止具１は、上述した例に限らず、種々の設計変更が可能である。
（１）本実施形態では、前筒部を軟質部材からなるカバー１２と、このカバー１２に収容される筒状のコイルスプリング１３とで構成した場合の例を示したが、図８に示すように、防錆加工したコイルスプリング１３０を直接収容端部１１に接合することで前筒部を構成しても良い。このようにすれば、カバー１２を不要とする分、携帯清掃材係止具１の製造コストを低く抑えることができる。
【００２７】
（２）さらに、収容端部１１から直ちにコイルスプリング１３０を取り付けるのではなく、図９に示すように、所定の長さのグリップ５０を収容端部１１とコイルスプリング１３０との間に介在させても良い。このグリップ５０は、操作者がコイルスプリング１３０による影響を回避しようとする際に、当該グリップ５０を把持して操作するとき等に使用される。このように、グリップ５０を設けることにより、精密な部位に対する清掃材１００の位置決めが容易になる。また、図１０に示すように、パチンコ遊技機の盤面３００に多数設けられた釘３０１の間に付着した塵埃３０２を除去する場合は、グリップ５０を把持した方が、清掃材１００を操作しやすくなり、操作性を高めることができる。
なお、グリップ５０を介在させる場合、先端からコイルスプリング１３０の曲部中心点までの長さは、７０[mm]前後であることが望ましい。これは、例えばパチンコ遊技機の場合、上皿と下皿との間を繋ぐ曲がりくねった管状の部品の内部の長さが、機種に関わらず、ほぼ７０[mm]前後であることによる。
【００２８】
（３）本実施形態では、ギャップを１つだけ形成する場合の例を説明したが、２つ以上のギャップを形成するようにしても良い。図１１は、係合機構をいわゆる２段ロック構造にした場合の例を示す。図１１（ａ）は、ノック体３０を押したときの係合機構の状態説明図、同（ｂ）はノック体３０が元に戻ったときの係合機構の状態説明図、同（ｃ）は清掃材が係合したときの説明図である。
【００２９】
この係合機構は、突起体２００の外面部を円盤状にし、その背面部を図示のように外面部から離れるにつれて径が小さくなるロート状にするとともに、突起体２００とほぼ同じ形状で、その中央部に、可撓性ワイヤ１４を通過させる孔部を形成した軸受体１５０をグリップ５０の周縁に、突起体２００と逆の向きで取り付ける（グリップ５０を介在させない場合は、カバー１２の先端又はコイルスプリング１３０に取り付ける）。突起体２００に接合された可撓性ワイヤを、浮動係合体１６０を経由して軸受体１５０から軸筒１０の内部に収容させることにより、上記の機構が完成する。
【００３０】
使用時は、ノック体３０を押すことにより、図１１（ａ）に示すように、浮動係合体１６０の両端に２つのギャップが形成され、他方、ノック体２０をロック孔１９から露出する端部を押すことにより、図１１（ｂ）のように、２つのギャップが解消される。図１０（ａ）の状態で綿花塊である清掃材を包み、ロック孔１９から露出する端部を押すと、コイルスプリング１３０の消勢力により２つのギャップが解消され、その際に、図１１（ｃ）に示すように清掃材が係合される。
このように２段ロック構造の係合機構では、使用時に清掃材がより外れにくいばかりでなく、係合する清掃材を、軸筒に沿って大きくすることができる。
【００３１】
（４）本実施形態では、突起体２０を図３のような形状に成形した場合の例を説明したが、突起体２０の形状は、例えば図１２（ａ）〜（ｃ）のように変形することができる。これらの図において、図４と同じ部分については、同一符号を付してある。
図１２（ａ）は、テーパ状ではなく同じ径で収容端部１１の方向に延びる背面部２２ａにしたものである。同（ｂ）はその先端形状を鋸歯状壁に成形した背面部２２ｂにした例を示す。この鋸歯条壁の先端で清掃材の一部を噛むように構成される。同（ｃ）は、背面部２２はそのままで、外方に膨らんだ形状の外面部２５にした例である。
使用する清掃材の材質、サイズ等に応じて、最も係合し易い形状のものを選択することができる。
【００３２】
（５）本実施形態では、収容端部１１を図４のような構造にした場合の例を説明したが、収容端部１１は、図１３（ａ）のように、切り込みを設けた多数の壁１２１の集合で構成しても良い。これらの壁１２１は、突起体２０が外方に突出したときは開いて清掃材をより掴みやすくし、突起体２０が引き戻されたときは、閉じる方向に動くことにより、清掃材を複数箇所で噛ませるようにする。これにより、清掃材がより外れにくくなり、携帯清掃材係止具１の操作性を高めることができる。
収容端部１１は、また、図１３（ｂ）のように、その先端が鋸歯状壁に成形しても良い。このようにすれば、鋸歯状壁の先端で清掃材の一部を噛むので、清掃材が外れにくくなる。図１２（ｂ）に示したように背面部２２ｂが鋸歯状壁の突起体を併用することにより、この効果は顕著なものとなる。
【００３３】
（６）本実施形態では、筒軸１０の後筒部は固定サイズであることを前提として説明したが、その一部を二重筒にすることにより、伸縮自在とすることもできる。
（７）また、突起体２０，２００の略中央部、あるいは、収容端部１１の外表面の一部に磁石を設けるようにしても良い。このようにすれば、磁性体が混入した物体を係合機構に係合させることが容易になる。また、鉄等からなるビスやネジをこの磁石に付着させることができ、使用用途を拡げることができる。
【産業上の利用可能性】
【００３４】
本発明は、パチンコ遊技機、パーソナルコンピュータの内部の隙間やキーボード、障子等の建具、車のダッシュボード、オートバイのエンジンのフィンその他、人間の手が入りにくい狭い部位を清掃するための清掃材係止具として、広く利用することができる。
【図面の簡単な説明】
【００３５】
【図１】本発明の実施の一形態例を示す携帯清掃材係止具の構造説明図（通常時）。
【図２】本実施形態の携帯清掃材係止具の構造説明図（使用時）。
【図３】本実施形態における突起体の構造を示す要部外観斜視図。
【図４】（ａ）は本実施形態における収容端部の正面図、（ｂ）は要部外観斜視図。
【図５】本実施形態に係る携帯清掃材係止具で清掃材を係合させた状態を示す図。
【図６】本実施形態に係る携帯清掃材係止具の使用状態の説明図。
【図７】本実施形態に係る携帯清掃材係止具の使用状態の説明図。
【図８】軸筒の変形例を示した部分構造図。
【図９】軸筒の変形例を示した部分構造図。
【図１０】図９の構造の携帯清掃材係止具の使用状態の説明図。
【図１１】係合機構の変形例を示す部分構造図であり、（ａ）は突起体を突出させた状態、（ｂ）は引き戻した状態、（ｃ）は清掃材が係合したときの説明図。
【図１２】（ａ）〜（ｃ）は突起体の変形例を示す図。
【図１３】（ａ）〜（ｂ）は収容端部の変形例を示す図。
【符号の説明】
【００３６】
１  携帯清掃材係止具    
１０  軸筒      
１１  収容端部
１１０  収容壁
１１１  底部
１１２  孔部
１２  カバー
１３，１３０  コイルスプリング
１４  可撓性ワイヤ
１５  ラバー
１６  リターンスプリング
１７  後端開口部
１８ａ  支持体
１８ｂ  ロック棒
１９  ロック孔
２０  突起体      
２１  外面部
２２  背面部
３０  ノック体
４０  クリップ
５０  グリップ
１００  清掃材
１５０  軸受体
１６０  浮動係合体
２００  突起体